(57)【要約】【課題】容易に目詰まりを解消することができるザル等の濾し器を提供すること。【解決手段】外周縁部１１の内側に多数の水切り孔３３を形成した凹状の収納部３１を設けてなるザル（濾し器）１である。収納部３１は、複数本の細棒３５を並列に所定間隔を開け且つそれらの両端を外周縁部１１に連結するように設置することで細棒３５の間に細長形状の水切り孔３３を形成し、さらに細棒３５を指によって左右方向へ撓む構成とする。これによって目詰まりした水切り孔３３の両側の細棒３５を左右に撓ませて目詰まりした水切り孔３３の幅を広げることで目詰まりを解消する。【選択図】図１
2013215437.tif 000002
【特許請求の範囲】
【請求項１】
外周縁部の内側に多数の水切り孔を形成した収納部を設けてなる濾し器において、
前記収納部は、複数本の細棒を並列に所定間隔を開け且つそれらの両端を前記外周縁部に連結するように設置することで細棒の間に細長形状の水切り孔を形成し、さらに前記細棒を指によって左右方向へ撓む構成とし、
目詰まりした水切り孔の両側の細棒を左右に撓ませて前記目詰まりした水切り孔の幅を広げることで前記目詰まりを解消することを特徴とする濾し器。
【請求項２】
請求項１に記載の濾し器であって、
前記細棒は、中央の細棒から左右の細棒に向かってその長さが短くなっており、且つ長い細棒の幅寸法よりも短い細棒の幅寸法の方を細くしたことを特徴とする濾し器。
【請求項３】
請求項１又は２に記載の濾し器であって、
前記収納部はドーム状の滑らかな曲面からなる凹部であり、且つその中央には前記ドーム形状を下面側から見て滑らかな曲面で上方向に向けて凹ませてなる載置部を設けたことを特徴とする濾し器。
【発明の詳細な説明】
【技術分野】
【０００１】
本発明は、ザル（笊）等の濾し器に関するものである。
【背景技術】
【０００２】
調理などに使用されるザルは一般に、網状または多数の穴が開いた容器であり、食材を洗ったり、水切り（湯切りも含む、以下同様）するのに用いられる。材質は、竹製、金属製、合成樹脂製等がある。
【先行技術文献】
【特許文献】
【０００３】
【特許文献１】実開昭５３−７３５４号公報
【発明の概要】
【発明が解決しようとする課題】
【０００４】
しかしながら従来のザルは、その目詰まりが問題となっていた。即ち例えばモヤシ等の野菜を洗ったり、パスタや蕎麦などの麺を水切りした際、それらの切れ端等がザルの目に詰まる。そしてこれら切れ端等はザルの目に絡みつくため、たわし等でザルを擦っても容易には取れなかった。このためザルの目詰まりを取り除く作業は手間がかかり、台所仕事が煩雑になり、また衛生面でも問題があった。
【０００５】
上記不都合を解決する従来例として、ザルではないが特許文献１に記載のカゴ（平行網目カゴ）がある。このカゴはその底面を構成する網骨（２）を全て平行としてこの網骨（２）の間に平行な隙間溝（５）を形成して構成されている。隙間溝（５）の一端（開口部（６）側）は解放されている。つまり網骨（２）の一端は枠縁（１）に固定されておらず、フリーの状態となっている。このカゴは、台所のシンクのコーナー等に設置され、生ごみなどを一時収納するために使用される生ごみ受け（三角コーナー）である。
【０００６】
このカゴによれば、収納した生ごみの細い切れ端等が引っ掛かりにくく、また隙間溝（５）に詰まった切れ端等もたわしで開口部（６）に向けて擦ることで平行な隙間溝（５）内を滑らせてその解放された末端から取り除くことができる。
【０００７】
しかしながらこのカゴにおいては、平行な隙間溝（５）に引っ掛かった切れ端等をたわしを用いて開口部（６）に移動させて取り除く必要があり、その作業が煩雑であった。またたわしのような別部材を使用しなければならないため、この点からも煩雑であった。また構造上、隙間溝（５）の一端を開口部（６）としてフリーの状態にしなければならないので（枠縁（１）に固定しないので）、その分強度が弱くなってしまう。
【０００８】
本発明は上述の点に鑑みてなされたものでありその目的は、たわしのような別部材を用いることなく、容易に目詰まりを解消することができるザル等の濾し器を提供することにある。
【課題を解決するための手段】
【０００９】
本発明にかかる濾し器は、外周縁部の内側に多数の水切り孔を形成した収納部を設けてなる濾し器であって、前記収納部は、複数本の細棒を並列に所定間隔を開け且つそれらの両端を前記外周縁部に連結するように設置することで細棒の間に細長形状の水切り孔を形成し、さらに前記細棒を指によって左右方向へ撓む構成とし、目詰まりした水切り孔の両側の細棒を左右に撓ませて前記目詰まりした水切り孔の幅を広げることで前記目詰まりを解消することを特徴としている。
このように各細棒の両端を外周縁部に連結した上で、各細棒を指によって左右方向へ撓む構成としたので、目詰まりした水切り孔の両側の細棒を左右に撓ませることで、容易に水切り孔の幅を広げることができ、目詰まり解消作業を容易且つ確実に行うことができる。また上述のように、各細棒の両端が外周縁部に連結されているので、水切り孔が開きすぎることもない。
【００１０】
また本発明は、前記細棒が、中央の細棒から左右の細棒に向かってその長さが短くなっており、且つ長い細棒の幅寸法よりも短い細棒の幅寸法の方を細くしたことを特徴としている。
細棒は同一幅寸法であれば短い方が撓みにくくなる。そこでこの発明のように短い細棒の幅寸法を細くすることで撓み易くすれば、各細棒全体の撓み易さを均一化でき、より目詰まり解消作業が行い易くなる。
【００１１】
また本発明は、前記収納部がドーム状の滑らかな曲面からなる凹部であり、且つその中央に前記ドーム形状を下面側から見て滑らかな曲面で上方向に向けて凹ませてなる載置部を設けたことを特徴としている。
このように収納部の下面が滑らかなドーム形状である上に、底部中央の載置部も上方向に凸となる滑らかな曲面なので、何れの細棒間を開く場合も、スムーズに隣接する細棒に指が掛かり、その作業は容易且つ確実に行える。特に下面中央付近の細棒間を開く際は、滑らかに凹んでいる載置部の部分に指を引っ掛けることができるので、その作業は容易且つ確実に行える。
【発明の効果】
【００１２】
本発明によれば、たわしのような別部材を用いることなく、容易に水切り孔の目詰まりを解消することができる。
【図面の簡単な説明】
【００１３】
【図１】ザル１の斜視図である。
【図２】ザル１の平面図である。
【図３】ザル１の正面図である。
【図４】ザル１の右側面図である。
【図５】ザル１の底面図である。
【図６】図１のＡ−Ａ断面図である。
【図７】ザル１の使用方法説明図である。
【発明を実施するための形態】
【００１４】
以下、本発明の濾し器をザルに適用した実施形態を図面を参照して詳細に説明する。
図１は本発明の一実施形態にかかるザル１の斜視図、図２は平面図、図３は正面図、図４は右側面図、図５は底面図、図６は図１のＡ−Ａ断面図である。なお背面図は図３の正面図と同一であり、左側面図は図４の右側面図と同一である。
【００１５】
ザル１は合成樹脂製の成形品であり、これらの図に示すように、薄板状であってその全体を下方向に凸となるドーム形状に成形して構成されている。ザル１の外周縁部１１は略平板のリング形状であって内側（中央）に向けて下方向に傾斜している。外周縁部１１の内側には前記外周縁部１１の傾斜に連続して下方向に傾斜する凹状の収納部３１が設けられている。収納部３１は多数の細長形状（一方向の筋状）の水切り孔３３を並列（平行）に形成して構成されている。
【００１６】
さらに言えば、収納部３１は、複数本（多数本）の細棒３５を所定間隔を開けながら並列（平行）に、全体としてドーム形状になるように（各細棒３５は略円弧状）、且つそれらの両端を前記外周縁部１１に連結することで細棒３５の間に多数の水切り孔３３を形成して構成されている。ここで各細棒３５は、その材質と幅寸法と厚み寸法を適宜選択することで、指によって左右方向（細棒３５の長手方向に直交する方向）へ撓むように構成されている。
【００１７】
細棒３５はその両端のみが外周縁部１１に連結されており、これによって左右方向に撓み易くなるようにしている。また細棒３５は、中央の細棒３５から左右の細棒３５に向かってその長さが徐々に短くなっており、且つ長い細棒３５の幅寸法（ザル１を真上から見たときの左右方向の長さ）よりも短い細棒３５の幅寸法の方を徐々に細くするようにしている（例えば図６の、Ｈ１＞Ｈ２＞Ｈ３）。
【００１８】
また前述のように収納部３１はドーム状の滑らかな曲面からなる凹部であるが、さらに収納部３１の底部中央は、図６に示すように、前記ドーム形状を下面側から見て滑らかな曲面で上方向に向けて凹ませその凹ませた部分を載置部３７としている。この載置部３７の上面は若干上方向に突出しており、従って載置部３７の下面の外周部分はリング状に下方向に突出しており、このリング状に突出した部分がこのザル１を台の上に載置した際の接地面となる。載置部３７は下から見て凹状に凹んでいるので、この部分の細棒３５に指を引っ掛け易くなっている。
【００１９】
またザル１を構成する合成樹脂の材質としてこの例では、竹の粉末と、ポリオレフィン系の合成樹脂と、タルクの粉末とを混合したものを用いている。さらに具体的に説明すると、竹の粉末５〜２５重量％と、ポリオレフィン系の合成樹脂（この例ではポリプロピレン樹脂）３５〜４５重量％と、タルクの粉末４０〜５０重量％とを混合したものを加熱溶融してザル１の形状に成形している。竹の粉末により、ザル１に効果的な抗菌作用を発揮させることができる。同時にタルクの粉末により、効果的な成形品の剛性向上・耐熱性向上・電気絶縁性向上・燃焼熱低減化の効果を発揮させることができる。
【００２０】
以上のように構成されているザル１において、収納部３１内に野菜や茹でた麺等を入れて水切り（湯切り）して取り出した際、ザル１の水切り孔３３に野菜や麺の切れ端等が絡み付いて残ることがある。
【００２１】
そのような場合は、図７に示すように、ザル１の下面に添えた両手の指によって、目詰まりした水切り孔３３の両側の細棒３５を左右に撓ませることで、水切り孔３３の幅を広げ、これによって容易に前記切れ端等を取り除くことができ、目詰まりを解消することができる。水切り孔３３の幅を広げる際、各細棒３５の両端が外周縁部１１に連結されているので、水切り孔３３を容易に開くことができ且つ開きすぎることもなく、このことからも目詰まり解消作業を容易且つ確実に行うことができる。
【００２２】
また細棒３５は同一幅寸法であれば短い方が撓みにくくなるが、このザル１の場合は前述のように、短い細棒３５の幅寸法を長い細棒３５に比べて細くしているので、各細棒３５の撓み易さがより均一化され、何れの水切り孔３３を広げる際の力もより均一化され、より目詰まり解消作業が行い易くなる。
【００２３】
またこのザル１は、収納部３１の下面が滑らかなドーム形状である上に、中央の載置部３７も上方向に凸となる滑らかな曲面なので、何れの細棒３５間を開く場合も、スムーズに隣接する細棒３５に指が掛かり、その作業を容易且つ確実に行うことができる。特に下面中央付近の細棒３５間を開く際は、滑らかに凹んでいる載置部３７の部分に指を引っ掛けることができるので、その作業は容易且つ確実に行える。さらに説明すると、例えば、ザルの下面中央に、一般のザルに設けられている円筒状の脚（高台）や特許文献１に記載の脚（４）等を設けていると、隣接する細棒３５間を開くためにザルの下面に触れた指が突出する脚の部分に引っ掛かり、スムーズに隣接する細棒３５間を開くことができなくなる恐れがある。これに対して本発明に係るザル１においては、上述のようにこのような問題は生じない。
【００２４】
さらにザル１を構成する樹脂自体に、竹の粉末による効果的な抗菌作用があるので、目に見えない汚れによる雑菌の繁殖もこの樹脂の持つ抗菌作用によって抑えられる。つまり目に見える汚れは水切り孔３３の物理的構造によって除去し易く、同時に目に見えない汚れは樹脂自体の抗菌作用によって対処でき、これらのことからザル１をより衛生的に保つことができる。
【００２５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、ザルの形状は円形のドーム形状に限定されるものではなく、四角形状や三角形状等、他の各種形状であっても良い。また上記ザルでは水切り孔と細棒を真上から見て直線状に形成したが、これらは真上から見て曲線状や屈曲線状等の他の各種形状に形成しても良い。また場合によってはザルの下面に脚（高台等）を設けても良い。また場合によっては各細棒の幅や水切り孔の幅は任意に変更できる。また必ずしもザルを構成する樹脂に竹の粉末やタルクの粉末を混合しなくても良い。さらに載置部は必ずしも上方向に凸状でなく、例えば平面状であっても良い。要はドーム形状の収納部の中央を下面側から見て上方向に凹ませていればよい。
【００２６】
また上記実施形態では本発明をザルに適用した例を示したが、本発明を適用できるのはザルのみではなく、例えば台所のシンクのコーナー等に設置されて生ごみなどを一時収納する生ごみ受け（三角コーナー）や、シンクの排水口内に設置されるごみ受け等、他の種々の用途の濾し器にも適用できる。要は、複数の水切り孔を形成した凹状の収納部を設けてなる濾し器であれば、どのような濾し器であっても良い。
【符号の説明】
【００２７】
１  ザル（濾し器）
１１  外周縁部
３１  収納部
３３  水切り孔
３５  細棒
３７  載置部
【図１】
2013215437.tif 000003
【図２】
2013215437.tif 000004
【図３】
2013215437.tif 000005
【図４】
2013215437.tif 000006
【図５】
2013215437.tif 000007
【図６】
2013215437.tif 000008
【図７】
2013215437.tif 000009